(57)【要約】【課題】体液を多量に吸収する能力を有するシートを皮膚に容易に貼付することができ、使い勝手のよいシートを開発することが課題である。【解決手段】離型紙、透水性および通気性を有し、離型紙側の一部に粘着剤を塗布した内側シート、並びに内側シートとほぼ同一の大きさの透水性および通気性を有しない外側シートからなる吸収性貼付シートである。粘着剤がアクリル系粘着剤、内側シートが合成繊維からなる不織布、内側シートに塗布された粘着剤が櫛引状、格子状などであり、外側シートが合成樹脂からなるフィルムであることが好ましい。また、内側シートおよび外側シートの外周縁がヒートシールされて袋状に構成されていることが好ましい。【選択図】図２
2005168723.tif 000002
【特許請求の範囲】
【請求項１】
吸水剤を内部に保持する袋状シートにおいて、離型紙、透水性および通気性を有し、離型紙側の表面の一部に内側シートに浸透しない粘着剤を塗布した内側シート、並びに内側シートとほぼ同一の大きさに構成され、透水性および通気性を有しない外側シート、からなることを特徴とする吸収性貼付シート。
【請求項２】
前記粘着剤がアクリル系粘着剤からなることを特徴とする請求項１記載の吸収性貼付シート。
【請求項３】
前記内側シートが合成繊維からなる不織布であることを特徴とする請求項１または２に記載の吸収性貼付シート。
【請求項４】
前記内側シートの離型紙側の表面の一部に塗布された粘着剤が櫛引状または格子状であることを特徴とする請求項１乃至３のいずれか１項に記載の吸収性貼付シート。
【請求項５】
前記内側シートの離型紙側の表面に気泡を含んだ粘着剤を吹き付けることにより、粘着剤がほぼ円形状に存在しない箇所を有することを特徴とする請求項１乃至３のいずれか１項に記載の吸収性貼付シート。
【請求項６】
前記粘着剤が存在しない箇所に透水性および通気性を有する程度に粘着剤が塗布されていることを特徴とする請求項１乃至３のいずれか１項に記載の吸収性貼付シート。
【請求項７】
前記外側シートが合成樹脂からなるフィルムであることを特徴とする請求項１乃至６のいずれか１項に記載の吸収性貼付シート。
【請求項８】
前記外側シートが透明蒸着フィルムであることを特徴とする請求項１乃至７のいずれか１項に記載の吸収性貼付シート。
【請求項９】
前記透明蒸着フィルムがアルミニウムを蒸着した透明蒸着フィルムであることを特徴とする請求項１乃至８のいずれか１項に記載の吸収性貼付シート。
【請求項１０】
前記内側シートが合成繊維からなり、且つ前記外側シートが合成樹脂からなり、内側シートおよび外側シートの外周縁がヒートシールされて袋状に構成されていることを特徴とする請求項１乃至９のいずれか１項に記載の吸収性貼付シート。
【請求項１１】
吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない粘着剤を櫛引状に塗布した合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シート。
【請求項１２】
前記外側シートがアルミニウムを蒸着した透明蒸着フィルムであることを特徴とする請求項１１に記載の吸収性貼付シート。
【請求項１３】
吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない粘着剤を斜行筋状に塗布した合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シート。
【請求項１４】
前記外側シートがアルミニウムを蒸着した透明蒸着フィルムであることを特徴とする請求項１３に記載の吸収性貼付シート。
【請求項１５】
吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない粘着剤を格子状に塗布した合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シート。
【請求項１６】
前記外側シートがアルミニウムを蒸着した透明蒸着フィルムであることを特徴とする請求項１５に記載の吸収性貼付シート。
【請求項１７】
吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない気泡を含んだ粘着剤を吹き付けることにより、粘着剤がほぼ円形状に存在しない箇所を有する合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シート。
【請求項１８】
前記粘着剤が存在しない箇所に透水性および通気性を有する程度に粘着剤が塗布されていることを特徴とする請求項１７に記載の吸収性貼付シート。
【請求項１９】
前記外側シートがアルミニウムを蒸着した透明蒸着フィルムであることを特徴とする請求項１７または１８に記載の吸収性貼付シート。
【発明の詳細な説明】
【技術分野】
【０００１】
本発明は、吸水剤を内部に保持する袋状シートにおいて、離型紙、透水性および通気性を有し、離型紙側の表面の一部に粘着剤を塗布した内側シート、並びに透水性および通気性を有しない外側シート、からなる吸収性貼付シートに関する。
【背景技術】
【０００２】
従来より、皮膚より体液を吸収する目的で、多量の粉末を含む泥状またはかゆ状のものを布に厚く延ばして皮膚に貼付するパップ剤が、外用剤として使用されてきた。しかし、パップ剤が吸収する体液には限界があるので、如何にして多量の体液を吸収させるかについて、種々の提案がされてきた。例えば、脱臭性能を有する貼付剤として、支持体の一面に脱臭剤層、通気材層および粘着剤層を有する貼付剤が提案された（例えば、特許文献１および特許文献２を参照。）。また、血行促進用貼付シートとして、非通気性シートと通気性シートとの間に粉体を含有させたシートが提案されているが、このシートを皮膚に接触させるためには、本シートを十分に覆うことのできる粘着シートにより覆い、皮膚に接着しなければならなかった（例えば、特許文献３を参照。）。それで、支持体の上に接着剤を塗布しその上を剥離紙により覆い、接着時に剥離紙を除き、皮膚に接着するというシートが提案されたが（例えば、特許文献４を参照。）、接着剤を支持体の全面に塗布しているにも拘わらず、皮膚と接触するのは不織布で包まれた木酢液パウダーの外周縁のみであって、必ずしも接着力が十分であるとはいえない。従って、いずれの貼付シートにおいても、接着面を露出し、皮膚に貼付するに便利で容易なシートは得られていない。
【０００３】
【特許文献１】特開平８−２４５３７４号公報
【特許文献２】特開２００２−２２６３９０号公報
【特許文献３】特開２００１−３１５８４号公報
【特許文献４】特開２００３−１１６６０２号公報
【発明の開示】
【発明が解決しようとする課題】
【０００４】
本発明は、体液を多量に吸収する能力を有するシートを皮膚に容易に貼付することができ、使い勝手のよいシートを開発することが課題である。
【課題を解決するための手段】
【０００５】
本発明者らは、これらの課題を解決するために種々の検討を行った結果、離型紙側の表面の一部に粘着剤を塗布した内側シート、並びに透水性および通気性を有しない外側シート、からなる吸収性貼付シートを提供するに至った。
【０００６】
すなわち、吸水剤を内部に保持する袋状シートにおいて、離型紙、透水性および通気性を有し、離型紙側の一部に内側シートに浸透しない粘着剤を塗布した内側シート、並びに内側シートとほぼ同一の大きさに構成され、透水性および通気性を有しない外側シート、からなることを特徴とする吸収性貼付シートであって、粘着剤がアクリル系粘着剤であることが好ましく、内側シートが合成繊維からなる不織布であることが好ましく、内側シートの離型紙側の表面の一部に塗布された粘着剤が櫛引状、格子状または気泡を含んだ粘着剤を吹き付けることにより、粘着剤がほぼ円形状に存在しない箇所を有するか、ほぼ円形状に透水性および通気性を有する程度に塗布されていることが好ましく、外側シートが合成樹脂からなるフィルムであることが好ましく、さらに外側シートが透明蒸着フィルムであることが好ましく、特にアルミニウムを蒸着した透明蒸着フィルムであることが好ましく、内側シートが合成繊維からなり、且つ外側シートが合成樹脂からなり、内側シートおよび外側シートの外周縁がヒートシールされて袋状に構成されていることが好ましい。
【０００７】
本発明の第二は、吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない粘着剤を櫛引状に塗布した合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シートであって、外側シートがアルミニウムを蒸着した透明蒸着フィルムであることが好ましい。
【０００８】
本発明の第三は、吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない粘着剤を斜行筋状に塗布した合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シートであって、外側シートがアルミニウムを蒸着した透明蒸着フィルムであることが好ましい。
【０００９】
本発明の第四は、吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない粘着剤を格子状に塗布した合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シートであって、外側シートがアルミニウムを蒸着した透明蒸着フィルムであることが好ましい。
【００１０】
本発明の第五は、吸水剤を内部に保持するタテ５ｃｍ〜１０ｃｍ、ヨコ３ｃｍ〜８ｃｍ、厚さ３ｍｍ〜５ｍｍのほぼ長方形の袋状シートにおいて、離型紙、透水性および通気性を有し、離型紙側の表面に内側シートに浸透しない気泡を含んだ粘着剤を吹き付けることにより、粘着剤がほぼ円形状に存在しない箇所を有する合成繊維の不織布からなる内側シート、並びに透水性および通気性を有しない合成樹脂からなる外側シートからなり、内側シートおよび外側シートの外周縁の溶着代が３ｍｍ〜１０ｍｍであることを特徴とする吸収性貼付シートであって、粘着剤が存在しない箇所に透水性および通気性を有する程度に粘着剤が塗布されていてもよく、外側シートがアルミニウムを蒸着した透明蒸着フィルムであることが好ましい。
【発明の効果】
【００１１】
本発明の吸収性貼付シートは、透水性および通気性を有する内側シートを皮膚に全面的に接触させることにより、皮膚にしっかりと接着させることができ、皮膚から外れることがなく、その内容物である吸水剤の効果を十分に発揮させることができる。従って、従来の貼付剤のように、吸水剤の含有されている範囲より遙かに広い粘着部分により、皮膚に接着させることがないので、シートが皺になり難く、且つその取扱が容易で、しかも皮膚への接着性がよいシートである。
【発明を実施するための最良の形態】
【００１２】
本発明の袋状シートは、透水性および通気性を有する内側シートと透水性および通気性を有しない外側シートからなり内部に吸水剤を保持しているものであって、内側シートには粘着剤が塗布され、外側シートの外側にはアルミニウムを蒸着する場合がある。
【００１３】
本発明の離型紙は、特に限定されるものではないが、上質紙にポリエチレンフィルムを貼り合わせたものにシリコンコーティングを行ったものが好適に使用することができ、上質紙としては６４ｇ／ｍ2〜９５ｇ／ｍ2のものが好ましい。
【００１４】
本発明の粘着剤としては、アクリル系粘着剤が好適に使用することができる。医療用途向けアクリル系粘着剤としては、アクリル酸エステル共重合物４２．５重量％〜４５．５重量％、トルエン１０．０重量％〜２０．０重量％、酢酸エチル３０．０重量％〜４０．０重量％の組成物を例示することができる。アクリル系粘着剤の内側シートへの塗布は、図４に示したような５ｍｍ〜１０ｍｍ間隔の櫛引状、図５に示したような斜向状、図６に示したような格子状にすることができる。また、アクリル系粘着剤に水を混ぜ、粘着剤を沸騰させることにより、気泡を含んだ粘着剤とし、これを吹き付けることにより、粘着剤がほぼ円形に存在しない箇所を有するか、ほぼ円形状に透水性および通気性を有する程度に塗布されている箇所を有する、図７に示したようなシートにすることができる。
【００１５】
本発明の不織布は、特に限定されるものではないが、皮膚に貼付するに適したものを選ぶ必要がある。例えば、ナイロン長繊維不織布が好適に使用することができ、特に３０ｇ／ｍ2〜５０ｇ／ｍ2のものが好ましい。
【００１６】
本発明の外側シートに用いるフィルムは、透水性および通気性を有しないフィルムであれば特に限定されるものではないが、ナイロンフィルムにアルミニウムを蒸着させたものとポリプロピレンフィルムを貼り合わせた３層フィルム、ポリエステルフィルムとポリエステルフィルムにアルミニウムの蒸着品およびポリエチレンフィルムを貼り合わせた４層フィルム、レーヨン紙にポリエチレンフィルムを貼り合わせた２層フィルム、などを好適に使用することができる。また、ポリエチレンテレフタレート（ＰＥＴ）フィルムに酸化珪素、アルミニウム、酸化アルミニウムなどを蒸着した透明蒸着フィルムを使用することができる。透明蒸着フィルムとしては、アルミニウムを蒸着した透明蒸着フィルムが内部が僅かに見えるので特に好ましい。
【００１７】
本発明にいう吸水剤は、吸水性のある物質であれば特に限定されないが、デンプン、デキストリン、シリカおよびこれらの混合物を例示することができる。また、木酢含有粉末を使用することもできる。
【実施例１】
【００１８】
内側シートとしてナイロン長繊維不織布（４０ｇ／ｍ2）の外部にアクリル系粘着剤を５ｍｍ間隔で粘着・非粘着を連続させて、櫛引状に粘着剤を塗布し、粘着剤の上に離型紙を貼り、別に外側シートとして厚さ１５μｍのナイロンフィルムにアルミニウムを蒸着させたものと厚さ２０μｍのポリプロピレンフィルムを貼り合わせた３層フィルムとからなるシートを用意し、内側シートと外側シートの外周縁をヒートシールしながら、袋状のシート部に吸水剤としてデンプンとデキストリンの混合物を袋当たり３ｇ充填し、袋状シートを長方形（６５ｍｍ×８０ｍｍ）に切断し、本発明の吸収性貼付シートを作製した。
【実施例２】
【００１９】
内側シートとしてナイロン長繊維不織布（４０ｇ／ｍ2）の外部にアクリル系粘着剤を５ｍｍ間隔で粘着・非粘着を連続させて、櫛引状に粘着剤を塗布し、粘着剤の上に離型紙を貼り、別に外側シートとして厚さ１２μｍのポリエステルフィルムと厚さ１２μｍのフィルムにアルミニウムを蒸着させたものと厚さ３０μｍのポリエチレンフィルムを貼り合わせた４層フィルムとからなるシートを用意し、内側シートと外側シートの外周縁をヒートシールしながら、袋状のシート部に吸水剤としてデンプンとシリカの混合物を袋当たり３ｇ充填し、袋状シートを長方形（６５ｍｍ×８０ｍｍ）に切断し、本発明の吸収性貼付シートを作製した。
【実施例３】
【００２０】
内側シートとしてナイロン長繊維不織布（４０ｇ／ｍ2）の外部にアクリル系粘着剤を５ｍｍ間隔で粘着・非粘着を連続させて、櫛引状に粘着剤を塗布し、粘着剤の上に離型紙を貼り、別に外側シートとしてレーヨン紙（２０ｇ／ｍ2）に厚さ２５μｍのポリエチレンフィルムを貼り合わせた２層とからなるシートを用意し、内側シートと外側シートの外周縁をヒートシールしながら、袋状のシート部に吸水剤としてデキストリンとシリカの混合物を袋当たり３ｇ充填し、袋状シートを長方形（６５ｍｍ×８０ｍｍ）に切断し、本発明の吸収性貼付シートを作製した。
【実施例４】
【００２１】
内側シートとしてナイロン長繊維不織布（３０ｇ／ｍ2）の外部にアクリル系粘着剤を５ｍｍ間隔で粘着・非粘着を連続させて、櫛引状に粘着剤を塗布し、粘着剤の上に離型紙を貼り、別に外側シートとして厚さ１５μｍのナイロンフィルムにアルミニウムを蒸着させたものと厚さ２０μｍのポリプロピレンフィルムを貼り合わせた３層フィルムとからなるシートを用意し、内側シートと外側シートの外周縁をヒートシールしながら、袋状のシート部に吸水剤としてデンプン、デキストリンおよびシリカの混合物を袋当たり３ｇ充填し、袋状シートを長方形（６５ｍｍ×８０ｍｍ）に切断し、本発明の吸収性貼付シートを作製した。
【実施例５】
【００２２】
内側シートとしてナイロン長繊維不織布（４０ｇ／ｍ2）の外部に気泡を含んだアクリル系粘着剤を吹き付けることにより、粘着剤がほぼ円形に存在しない箇所を有するようにして、粘着剤の上に離型紙を貼り、別に外側シートとして厚さ１２μｍのポリエステルフィルムと厚さ１２μｍのフィルムにアルミニウムを蒸着させたものと厚さ３０μｍのポリエチレンフィルムを貼り合わせた４層フィルムとからなるシートを用意し、内側シートと外側シートの外周縁をヒートシールしながら、袋状のシート部に吸水剤としてデンプン、デキストリンおよびシリカの混合物を袋当たり３ｇ充填し、袋状シートを長方形（６５ｍｍ×８０ｍｍ）に切断し、本発明の吸収性貼付シートを作製した。
【実施例６】
【００２３】
内側シートとしてナイロン長繊維不織布（５０ｇ／ｍ2）の外部に気泡を含んだアクリル系粘着剤を吹き付けることにより、粘着剤がほぼ円形に存在しない箇所を有するようにして、粘着剤の上に離型紙を貼り、別に外側シートとしてレーヨン紙（２０ｇ／ｍ2）に厚さ２５μｍのポリエチレンフィルムを貼り合わせた２層とからなるシートを用意し、内側シートと外側シートの外周縁をヒートシールしながら、袋状のシート部に吸水剤としてデンプン、デキストリンおよびシリカの混合物を袋当たり３ｇ充填し、袋状シートを長方形（６５ｍｍ×８０ｍｍ）に切断し、本発明の吸収性貼付シートを作製した。
【実施例７】
【００２４】
実施例１乃至実施例６で作製した吸収性貼付シートについて、それぞれ足の裏に貼付してその使用状況を試した。まず、いずれの吸収性貼付シートも足の裏に貼付した際、皺になることなく容易に貼付することができた。また、貼付後１夜置いて結果をみたが、剥がれることもなく、十分な吸水作用を示した。
【産業上の利用可能性】
【００２５】
本発明に利用した技術は、皮膚に貼付する貼付剤およびその関連製品に利用することが可能であって、傷テープ、使い捨て懐炉およびそれらの類似品に利用することができる。
【図面の簡単な説明】
【００２６】
【図１】従来の貼付剤の１例の断面図
【図２】（ａ）本発明の１例の断面図、（ｂ）本発明の他の１例の断面図
【図３】本発明の外周縁のヒートシールの１例（外側シート面）
【図４】本発明の粘着剤の櫛引状塗布の１例（内側シート面）
【図５】本発明の粘着剤の斜向状塗布の１例（内側シート面）
【図６】本発明の粘着剤の格子状塗布の１例（内側シート面）
【図７】ほぼ円形状に本発明の粘着剤が存在しない箇所を有する例の模式図（内側シート面）
【符号の説明】
【００２７】
１．皮膚
２．貼付剤
３．吸収性貼付シート
４．吸水剤
５．貼付シート
６．粘着剤
７．外側シート
８．アルミニウム蒸着層
９．内側シート
【図１】
2005168723.tif 000003
【図２】
2005168723.tif 000004
【図３】
2005168723.tif 000005
【図４】
2005168723.tif 000006
【図５】
2005168723.tif 000007
【図６】
2005168723.tif 000008
【図７】
2005168723.tif 000009